(57)【特許請求の範囲】
【請求項１】
パルス信号を送受信する送受信端末の入出力端子と第１通信線を介して接続されたときは該送受信端末との間で双方向通信を行い、レベル信号を送信する送信端末の出力端子と第２通信線を介して接続されたときは該送信端末との間で一方向通信を行なう通信装置であって、
前記送受信端末は、前記入出力端子に断続的に電流を通電することにより第１パルス信号を送信し、前記入出力端子に断続的に外部から通電されることにより第２パルス信号を受信するパルス信号送受信手段を備え、
前記送信端末は、複数のレベルの電圧を前記出力端子に選択的に出力することにより複数種類のレベル信号を送信するレベル信号送信手段を備え、
前記通信装置は、前記第１通信線又は前記第２通信線と接続される接続端子と、該接続端子を抵抗を介して所定電位部分に接続した接続状態と該所定電位部分から遮断した遮断状態とに切替える切換回路と、該切換回路と前記抵抗の接続箇所の電圧レベルを識別する電圧識別手段と、
前記接続端子に前記第１通信線を介して前記送受信端末が接続されたときに、前記切換回路を前記接続状態として、前記送受信端末から送信される前記第１パルス信号による通電により前記切換回路と前記抵抗の接続箇所に断続的に発生する所定レベルの電圧を前記電圧識別手段により識別することによって、前記送受信端末から送信される前記第１パルス信号を受信し、また、前記切換回路を前記接続状態と前記遮断状態とに切替えることにより前記送受信端末の前記入出力端子に断続的に通電させることによって、前記送受信端末に前記第２パルス信号を送信するパルス通信制御手段と、
前記接続端子に前記第２通信線を介して前記送信端末が接続されたときに、前記切換回路を前記接続状態として、前記電圧識別手段により識別される電圧のレベルを認識することによって、前記送信端末から送信される前記レベル信号を受信するレベル通信制御手段とを備えたことを特徴とする通信装置。
【請求項２】
前記切換回路を前記接続状態としたときに、前記電圧識別手段により前記所定レベルの電圧が断続的に識別されたときは前記接続端子に前記送受信端末が接続されていると判断し、また、前記電圧識別手段により前記複数のレベルの電圧のうちの何れかが継続的に識別されたときには前記接続端子に前記送信端末が接続されていると判断する接続端末判別手段を備え、
該接続端末判別手段により前記接続端子に前記送受信端末が接続されていると判別されたときは、前記パルス通信制御手段により前記送受信端末との間で双方向通信を行ない、前記接続端末判別手段により前記接続端子に前記送信端末が接続されていると判別されたときは、前記レベル通信制御手段により前記送信端末との間で一方向通信を行なうことを特徴とする請求項１記載の通信装置。
【請求項３】
前記通信装置は、前記接続端子と前記切換回路の対からなる構成を複数備えると共に、各切換回路は該切換回路と対に備えられた接続端子を前記抵抗を共通に介して前記所定電位部分に接続し、
前記接続端子のうちの一つを選択し、該選択した接続端子以外の接続端子と対に備えられた前記切換回路を全て前記遮断状態とする接続端子選択手段を備えたことを特徴とする請求項１記載の通信装置。
【請求項４】
前記接続端子選択手段により一つの接続端子を選択し、該選択した接続端子と対に備えられた前記接続端子を前記接続状態としたときに、前記電圧識別手段により前記所定レベルの電圧が断続的に識別されたときは該選択された接続端子に前記送受信端末が接続されていると判断し、前記電圧識別手段により前記複数種類のレベルの電圧のうちの何れかが継続的に識別されたときには該選択された接続端子に前記送信端末が接続されていると判断する接続端末判別手段を備え、
前記選択された接続端子に前記送受信端末が接続されていると前記接続端末識別手段により判別されたときは、前記パルス通信制御手段により該送受信端末との間で双方向通信を行ない、前記選択された接続端子に前記送信端末が接続されていると前記接続端末識別手段により判別されたときは、前記レベル通信制御手段により該送信端末との間で一方向通信を行なうことを特徴とする請求項３記載の通信装置。
【請求項５】
前記所定レベルの電圧が、前記複数のレベルの電圧の中に含まれることを特徴とする請求項１から請求項４のうちいずれか１項記載の通信装置。
【請求項６】
前記通信装置と前記第１通信線、及び前記通信装置と前記第２通信線は、同一種類のコネクタによって接続されることを特徴とする請求項１から請求項５のうちいずれか１項記載の通信装置。
【発明の詳細な説明】
【０００１】
【発明の属する技術の分野】
本発明は、通信仕様が異なる送受信端末及び送信端末との間で信号の送受信を行なう通信装置に関する。
【０００２】
【従来の技術】
従来より、１台の通信装置に対して複数の送受信端末や送信端末を接続し、これらの端末から該通信装置に種々の信号を送信することによって、該通信装置が備えられた本体装置の作動を制御するようにした制御システムが各種提案されている。
【０００３】
このような制御システムの例として、例えば温水を熱源として室内の暖房を行なう床暖房機や温風暖房機等の温水式暖房機と、これらの温水式暖房機に温水を供給する温水供給装置（本体装置）とを通信可能に接続し、温水式暖房機側から温水供給装置に制御信号を送信することによって、温水供給装置から温水式暖房機への温水の開始や停止を制御するようにしたものが知られている。
【０００４】
ここで、温水式暖房機と温水供給装置との間の通信仕様は必ずしも一様ではなく、図４に示したように異なる場合がある。図４を参照して、９０は温水供給装置に備えられた通信装置であり、温風暖房機に備えられた送受信端末４１との間で双方向通信を行なうと共に、床暖房機に備えられた送信端末４２との間で一方向（送信端末４２→通信装置９０）の通信を行なう。
【０００５】
送受信端末４１は、マイコン４３とフォトカプラ４４，４５等を有する入出力回路４６とを備える。そして、送受信部４１は、マイコン４３の出力ポートＯＵＴ２０からの出力によりフォトカプラ４４をＯＮ／ＯＦＦして入出力端子４７から電流を断続的に出力することによって、通信装置９０に第１パルス信号を送信する。また、送受信端末４１は、入出力端子４７に外部から供給される電流の有無に応じてＯＮ／ＯＦＦするフォトカプラ４５のＯＮ／ＯＦＦ状態をマイコン４３の入力ポートＩＮ２０に入力される電圧（ロジック高レベル／ロジック低レベル）を認識することによって、通信装置９０から出力される第２パルス信号を受信する。
【０００６】
一方、送信端末４２は、マイコン５０とトランジスタ５１，５２等を有する出力回路５３とを備える。そして、送信端末４２は、マイコン５０の出力ポートＯＵＴ３０とＯＵＴ３１からの出力に応じたトランジスタ５１及び５２のＯＮ／ＯＦＦの組合せにより、ＶＣＣ、Ｖｚ（ツェナーダイオード５４のツェナー電圧）、０Ｖという３種類の電圧を出力端子５５から選択的に出力することによって、通信装置９０にレベル信号を送信する。
【０００７】
このように、送受信端末４１と送信端末４２とでは取り扱う信号の種類が異なる。そのため、従来の通信装置９０においては、送受信端末４１に対して、コネクタ９１〜９３、パルス信号（第１パルス信号、第２パルス信号）の送受信を行なう入出力回路９４、及びコネクタ９１〜９３の接続端子９５〜９７のうちの一つを選択して入出力回路９４に接続する選択回路１００〜１０２が専用に設けられていた。また、送信端末４２に対しては、コネクタ１０３〜１０５と、コネクタ１０３〜１０５の接続端子１０６〜１０８に入力されるレベル信号をそれぞれ受信する入力回路１０９〜１１１が専用に設けられていた。
【０００８】
ここで、入出力回路９４はフォトカプラ９８と９９を有し、フォトカプラ９８は接続端子９５〜９７のいずれか（選択回路１００〜１０２により選択される）に流れる電流の有無に応じてＯＮ／ＯＦＦし、これに応じてマイコン１２０の入力ポートＩＮ１０に入力される電圧のレベルが切替わる（ロジック高レベル／ロジック低レベル）。
【０００９】
そのため、マイコン１２０は入力ポートＩＮ１０へのロジック高レベル電圧の入力の有無を確認することで、フォトカプラ９８のＯＮ／ＯＦＦ状態を認識することができる。また、フォトカプラ９９はマイコン１２０の出力ポートＯＵＴ１３からの出力に応じてＯＮ／ＯＦＦし、これに応じて接続端子９５〜９７のいずれか（選択回路１００〜１０２により選択される）を抵抗１２１を介して接地電位に接続された接続状態と接地電位から遮断された遮断状態とに切替わる。
【００１０】
そして、マイコン１２０は、フォトカプラ９９をＯＮ状態に保ってフォトカプラ９８のＯＮ／ＯＦＦを認識することにより、接続端子９５〜９７のいずれか（選択回路１００〜１０２により選択される）に入力される前記第１パルス信号を受信する。また、フォトカプラ９９をＯＮ／ＯＦＦすることにより、接続端子９５〜９７のいずれか（選択回路１００〜１０２により選択される）から前記第２パルス信号を送信する。
【００１１】
尚、図４においては、出力ポートＯＵＴ１０から選択回路１００にロジック低レベルの信号を出力し、ＯＵＴ１１とＯＵＴ１２から選択回路１０１，１０２にそれぞれロジック高レベル信号を出力することにより接続端子９５を選択している。
【００１２】
一方、送信端末４２用に設けられたコネクタ１０３〜１０５には、それぞれ入力回路１０９〜１１１が接続されている。入力回路１０３〜１０５は、それぞれＮＯＴ回路１１２，１１３とツェナーダイオード１１４とを備える。そして、接続端子１０７にＶｃｃのレベル信号が入力されると、ＮＯＴ回路１１２，１１３への入力が共にロジック高レベルとなり、マイコン１２０の入力ポートＩＮ１３とＩＮ１４への入力は共にロジック低レベルとなる。また、接続端子１０７にＶｚのレベル信号が入力されると、ＮＯＴ回路１１２への入力はロジック高レベルとなるが、ツェナーダイオード１１４による電圧降下によりＮＯＴ回路１１３への入力はロジック低レベルとなる。そのため、ＩＮ１３への入力はロジック低レベルとなり、ＩＮ１４への入力はロジック高レベルとなる。
【００１３】
また、接続端子１０７に０Ｖのレベル信号が入力されると、ＮＯＴ回路１１２，１１３への入力は共にロジック低レベルとなるため、ＩＮ１３，ＩＮ１４への入力は共にロジック高レベルとなる。したがって、マイコン１２０の入力ポートＩＮ１３とＩＮ１４への入力電圧を確認して、接続端子１０７に入力された電圧がＶＣＣ，Ｖｚ，０Ｖのいずれであるかを識別することによって、通信装置９０は送信端末４２から送信されるレベル信号を受信することができる。
【００１４】
尚、コネクタ１０３に送信端末４２が接続されたときはマイコン１２０の入力ポートＩＮ１１，ＩＮ１２への入力電圧を確認することにより、また、コネクタ１０５に送信端末４２が接続されたときはマイコン１２０の入力ポートＩＮ１５，ＩＮ１６への入力電圧を確認することにより、通信装置９０は送信端末４２から出力されるレベル信号を受信することができる。
【００１５】
しかし、このように通信装置９０に送受信端末４１用のコネクタ９１〜９３や入出力回路９４を専用に設け、また、送信端末４２用のコネクタ１０３〜１０５や出力回路１０９〜１１１を専用に設けたときには、これらのコネクタの取付けスペースを広く確保する必要があり、また、回路部品の点数やマイコンの入出力ポートの点数が多く必要となって回路基板のサイズも大型化するため、通信装置のサイズが大きくなってしまうという不都合があった。
【００１６】
【発明が解決しようとする課題】
本発明は、上記不都合を解消し、パルス信号を送受信する送受信端末及びレベル信号を送信する送信端末との間で通信が可能であって、サイズが小さい通信装置を提供することを目的とする。
【００１７】
【課題を解決するための手段】
本発明は、前記目的を達成するためになされたものであり、パルス信号を送受信する送受信端末の入出力端子と第１通信線を介して接続されたときは該送受信端末との間で双方向通信を行い、レベル信号を送信する送信端末の出力端子と第２通信線を介して接続されたときは該送信端末との間で一方向通信を行なう通信装置であって、前記送受信端末は、前記入出力端子に断続的に電流を通電することにより第１パルス信号を送信し、前記入出力端子に断続的に外部から通電されることにより第２パルス信号を受信するパルス信号送受信手段を備え、前記送信端末は、複数のレベルの電圧を前記出力端子に選択的に出力することにより複数種類のレベル信号を送信するレベル信号送信手段を備える。
【００１８】
そして、前記通信装置は、前記第１通信線又は前記第２通信線と接続される接続端子と、該接続端子を抵抗を介して所定電位部分に接続した接続状態と該所定電位部分から遮断した遮断状態とに切替える切換回路と、該切換回路と前記抵抗の接続箇所の電圧レベルを識別する電圧識別手段と、前記接続端子に前記第１通信線を介して前記送受信端末が接続されたときに、前記切換回路を前記接続状態として、前記送受信端末から送信される前記第１パルス信号により前記切換回路と前記抵抗の接続箇所に断続的に発生する所定レベルの電圧を前記電圧識別手段により識別することによって、前記送受信端末から送信される前記第１パルス信号を受信し、また、前記切換回路を前記接続状態と前記遮断状態とに切替えることにより前記送受信端末の前記入出力端子に電流を断続的に通電させることによって、前記送受信端末に前記第２パルス信号を送信するパルス通信制御手段と、前記接続端子に前記第２通信線を介して前記送信端末が接続されたときに、前記切換回路を前記接続状態として、前記電圧識別手段により識別される電圧のレベルを認識することによって、前記送信端末から送信される前記レベル信号を受信するレベル通信制御手段とを備えたことを特徴とする。
【００１９】
かかる本発明によれば、前記通信装置は、前記接続端子を介して、前記送受信端末と前記送信端末のいずれとも接続することができる。そのため、前記送受信端末と前記送信端末のそれぞれに対して専用に接続端子を設ける必要がなく、端子の設置スペースを減少させることができる。また、前記パルス通信制御手段は、前記第１パルス信号よる通電により断続的に発生する前記所定レベルの電圧を前記電圧識別手段により識別することによって前記送受信端末から送信される前記第１パルス信号を受信し、前記レベル通信制御手段は、前記電圧識別手段により識別される電圧のレベルを認識することで前記レベル信号を受信する。そのため、前記第１パルス信号を受信する手段と前記レベル信号を受信する手段を専用に設けることが不要となって回路基板のサイズを小型化することができ、これにより、前記通信装置のサイズを小さくすることができる。
【００２０】
また、前記切換回路を前記接続状態としたときに、前記電圧識別手段により前記所定レベルの電圧が断続的に識別されたときは前記接続端子に前記送受信端末が接続されていると判断し、また、前記電圧識別手段により前記複数のレベルの電圧のうちの何れかが継続的に識別されたときには前記接続端子に前記送信端末が接続されていると判断する接続端末判別手段を備え、該接続端末判別手段により前記接続端子に前記送受信端末が接続されていると判別されたときは、前記パルス通信制御手段により前記送受信端末との間で双方向通信を行ない、前記接続端末判別手段により前記接続端子に前記送信端末が接続されていると判別されたときは、前記レベル通信制御手段により前記送信端末との間で一方向通信を行なうことを特徴とする。
【００２１】
かかる本発明によれば、前記通信装置は、前記接続端末判別手段により、前記接続端子に前記送受信端末が接続されているか否か、及び前記接続端子に前記送信端末が接続されているか否かを認識することができる。そして、前記接続端子に前記送受信端末が接続されていると認識したときは前記パルス通信制御手段により適切な双方向通信を行なうことができ、また、前記接続端子に前記送信端末が接続されていると認識したときには前記レベル通信手段により適切な一方向通信を行なうことができる。そのため、前記接続端子に接続されているのが前記送受信端末であるか前記送信端末であるかを指示するスイッチ等を前記通信装置に設ける必要がない。
【００２２】
また、前記通信装置は、前記接続端子と前記切換回路の対からなる構成を複数備えると共に、各切換回路は該切換回路と対に備えられた接続端子を前記抵抗を共通に介して前記所定電位部分に接続し、前記接続端子のうちの一つを選択し、該選択した接続端子以外の接続端子と対に備えられた前記切換回路を全て前記遮断状態とする接続端子選択手段を備えたことを特徴とする。
【００２３】
かかる本発明によれば、前記接続端子選択手段により一つの接続端子が選択されると、該選択された接続端子以外の他の接続端子と対に備えられた切換スイッチは全て前記遮断状態となる。そして、この状態で、該選択した接続端子と対に設けられた切換回路を前記接続状態とすることにより、該接続状態とした切換回路と前記抵抗との接続箇所の電圧レベルを前記電圧識別手段により識別することが可能となる。
【００２４】
したがって、前記接続端子選択手段により一つの接続端子を選択し、該選択した接続端子と対に備えられた切換回路を前記接続状態と前記遮断状態とに制御することによって、前記パルス通信制御手段は該選択された接続端子に接続された前記送受信端末との間で双方向通信を行なうことができる。また、前記接続端子選択手段により一つの接続端子を選択し、該選択した接続端子と対に備えられた切換回路を前記接続状態とすることによって、前記レベル通信制御手段は選択された接続端子に接続された前記送信端末との間で一方向通信を行なうことができる。そのため、前記複数の接続端子についてそれぞれ前記電圧識別手段を設ける必要がなく、回路基板を小型化して前記通信装置のサイズを小さくすることができる。
【００２５】
また、前記接続端子選択手段により一つの接続端子を選択し、該選択した接続端子と対に備えられた前記接続端子を前記接続状態としたときに、前記電圧識別手段により前記所定レベルの電圧が断続的に識別されたときは該選択された接続端子に前記送受信端末が接続されていると判断し、前記電圧識別手段により前記複数種類のレベルの電圧のうちの何れかが継続的に識別されたときには該選択された接続端子に前記送信端末が接続されていると判断する接続端末判別手段を備え、前記選択された接続端子に前記送受信端末が接続されていると前記接続端末識別手段により判別されたときは、前記パルス通信制御手段により該送受信端末との間で双方向通信を行ない、前記選択された接続端子に前記送信端末が接続されていると前記接続端末識別手段により判別されたときは、前記レベル通信制御手段により該送信端末との間で一方向通信を行なうことを特徴とする。
【００２６】
かかる本発明によれば、前記接続端子選択手段により一つの接続端子を選択して、該選択した接続端子と対に備えられた切換回路を前記接続状態とすると、上述したように、前記電圧識別手段は該接続状態とした切換回路と前記抵抗の接続箇所の電圧レベルを識別可能な状態となる。そのため、前記接続端末識別手段は、前記接続端子選択手段により一つの接続端子を選択し、該選択した接続端子と対に備えられた切換回路を前記接続状態としたときに、前記電圧識別手段により前記所定レベルの電圧が断続的に識別されたときは、該選択した接続端子に前記送受信端末が接続されていると判断することができ、また、前記電圧識別手段により前記複数種類のレベルの電圧のうちのいずれかが継続的に識別されたときには、該選択した接続端子に前記送信端子が接続されていると判断することができる。
【００２７】
そして、前記通信装置は、前記接続端末判別手段の識別結果に応じて、前記パルス通信制御手段により前記送受信端末との間で適切な双方向通信を行なうことができ、また、前記レベル通信制御手段により前記送信端末との間で適切な一方向通信を行なうことができる。
【００２８】
また、前記所定レベルの電圧が、前記複数のレベルの電圧の中に含まれることを特徴とする。
【００２９】
かかる本発明によれば、前記電圧識別手段は、前記第１パルス信号を受信するために、前記所定レベルの電圧を識別するための構成を専用に備えることが不要となる。そのため、前記電圧識別手段の構成を簡素化することができる。
【００３０】
また、前記通信装置と前記第１通信線、及び前記通信装置と前記第２通信線とは、同一種類のコネクタによって接続されることを特徴とする。
【００３１】
かかる本発明によれば、前記通信装置、前記送受信端末、及び前記送信端末を設置する際に、コネクタの種類を整合させるための交換作業を行なう必要がない。
【００３２】
【発明の実施の形態】
本発明の実施の形態の一例について、図１〜図３を参照して説明する。図１は本発明の通信装置、送受信端末、及び送信端末が用いられた室内暖房システムの全体構成図、図２は図１に示した室内暖房システムにおける通信回路図、図３は図２に示した通信回路の作動フローチャートである。
【００３３】
図１を参照して、温水供給装置１は室外に設置され、温風暖房機２及び床暖房パネル３と温水回路４によって接続されている。温水回路４は、温風暖房機２に温水を供給するための温風暖房路５と、床暖房パネル３に温水を供給するための床暖房路６とにより構成されている。また、温水供給装置１は、バーナ７により加熱されて温水回路４中の温水を昇温させる温水熱交換器８と、温水回路４内の温水を循環させる循環ポンプ９と、温水回路４内の温水の膨張と収縮を吸収するシスターン１０とを備えている。
【００３４】
温風暖房路５は、温風暖房機２に温水を供給する１次供給路１１と、温風暖房機２から温水を還流する１次還流路１２とから構成されている。１次供給路１１は、温水熱交換器８から第１温水サーミスタ１３の取付け箇所を経由して図中下方に直進し、温風暖房機２に備えられた暖房熱交換器１５の流入側に接続されている。一方、１次還流路１２は、暖房熱交換器１５の流出側から流量制御弁１４を介してシスターン１０の流入側に接続され、シスターン１０の流出側から循環ポンプ９を介して温水熱交換器８に接続されている。温風暖房機２に設けられた流量制御弁１４は、その開度を変化させることにより温風暖房機２に供給される温水の流量を調節したり温水の供給を停止するものである。
【００３５】
床暖房路６は、床暖房パネル３に温水を供給する２次供給路１６と、床暖房パネル３から温水を還流する２次還流路１７とから構成されている。２次供給路１６は、循環ポンプ９の吐出側から図中下方向に分岐し、第２温水サーミスタ１８の取付け箇所を経由して、床暖房パネル３に供給する温水の流量を調節する開閉制御弁１９とを介して床暖房パネル３の流入側に接続されている。一方、２次還流路１７は、床暖房パネル３の流出側と接続され、１次還流路１２及びバイパス供給路２０と合流している。
【００３６】
バイパス供給路２０は、１次供給路１１から図中左方向に分岐し、温風暖房機２をバイパスして１次還流路１２に接続されている。このバイパス供給路２０は、温水熱交換器８により加熱された温水と床暖房パネル３からの復水とをシスターン１０でミキシングして、床暖房パネルからの復水を昇温させるためのものである。
【００３７】
２次供給路１６に設けられた開閉制御弁１９は、その開閉時間を制御することにより床暖房パネル３に温水を供給する時間を調節して、床暖房パネル３からの放熱量を制御するためのものである。
【００３８】
２１はバーナ７に燃料ガスを供給するガス供給管であり、ガス供給管２１には、ガスの供給と遮断とを切替える元ガス電磁弁２２及びガス電磁弁２３と、ガスの供給流量を調節するガス比例弁２４とが設けられている。そして、バーナ７の燃料量は、ガス比例弁２４により燃料ガスの供給流量を調節し、又、燃焼ファン２５により燃焼用空気の供給流量を調節することによって制御される。
【００３９】
温水供給装置１は温水供給コントローラ２６（本発明の通信装置の機能を含む）によってその作動が制御され、スイッチ部２７には電源スイッチやブザー等が備えられる。温水供給コントローラ２６はマイコン等によって構成された電子ユニットであり、温風暖房機２と通信線２８（本発明の第１通信線に相当する）により接続され、床暖房パネル３の近傍に設置された床暖房端末２９と通信線３０（本発明の第２通信線に相当する）により接続される。
【００４０】
温風暖房機２は、温風ファン３１、温風暖房の開始や停止を指示するスイッチ等が設けられた温風暖房操作パネル３２、室温を検出する温風暖房用サーミスタ３３、及び温風暖房機２の作動を制御する温風暖房コントローラ３４（本発明の送受信端末の機能を含む）を備える。また、床暖房端末２９は、床暖房の開始や停止を指示スイッチ等が設けられた床暖房操作パネル３５、室温を検出する床暖房用サーミスタ３６、及び床暖房パネル３への温水の供給と停止を制御する床暖房コントローラ３７（本発明の送信端末の機能を含む）を備える。
【００４１】
そして、温風暖房コントローラ３４は、温水の供給／停止、温水の供給温度等を指示する第１パルス信号を温水供給コントローラ２６に送信し、温水供給装置の運転状態等を示す第２パルス信号を温水供給コントローラ２６から受信する（双方向通信）。また、床暖房コントローラ３７は、温水の供給／停止等を指示するレベル信号を温水供給コントローラ２６に送信する（一方向通信）。
【００４２】
次に、図２を参照して、温水供給装置１に備えられた温水供給コントローラ２６と、温風暖房機２に備えられた温風暖房コントローラ３４との間の通信仕様、及び温水コントローラ２６と、床暖房端末２９に備えられた床暖房コントローラ３７との間の通信仕様について説明する。
【００４３】
図２において、４１は温風暖房コントローラ３４に備えられて、パルス信号の送受信を行なう送受信部（本発明の送受信端末に相当する）であり、４２は床暖房コントローラ３７に備えられてレベル信号を送信する送信部（本発明の送信端末に相当する）である。また、４０は温水供給コントローラ２６に備えられて、送受信部４１との間で双方向通信を行なうと共に、送信部４２との間で一方向通信を行なう通信部である。
【００４４】
送受信部４１の構成は上記従来の技術で説明した図４の送受信端末４１と同様であり、また、送信部４２の構成は図４の送信端末４２と同様であるため、同一の符号を付して詳細な説明を省略するが、送受信部４１は入出力端子４７に断続的に電流を通電して第１パルス信号を送信し、入出力端子４７に外部から断続的に通電されることによって第２パルス信号を受信する。また、送信部４２は、出力端子５５からＶＣＣ，Ｖｚ，０Ｖという３種類のレベルの電圧を選択的に出力してレベル信号を出力する。
【００４５】
尚、送受信部４１のマイコン４３と入出力回路４６により本発明のパルス信号送受信手段が構成され、送信部４２のマイコン５０と出力回路５３により本発明のレベル信号送信手段が構成される。
【００４６】
通信部４０は、同一種類のコネクタ６０〜６２を備え、これらのコネクタの接続端子６３〜６５と対に、トランジスタ６６〜６８（本発明の切換回路に相当する）が備えられている。そして、トランジスタ６６〜６８の一端はそれぞれ抵抗６９，７０を共通に介して接地部分（本発明の所定電位部分に相当する）に接続されている。トランジスタ６６は、マイコン７１の出力ポートＯＵＴ０からロジック高レベル電圧が出力されたときにＯＮし、このとき接続端子６３が抵抗６９，７０を介して接地される接続状態となる。また、ＯＵＴ０からロジック低レベル電圧が出力されるとトランジスタ６６はＯＦＦし、このとき接続端子６３が接地電位から遮断された遮断状態となる。
【００４７】
トランジスタ６７，６８も同様に、マイコン７１の出力ポートＯＵＴ１とＯＵＴ２からの出力電圧（ロジック高レベル／ロジック低レベル）に応じてそれぞれＯＮ／ＯＦＦし、コネクタ６１の接続端子６４とコネクタ６２の接続端子６５がそれぞれ前記接続状態と前記遮断状態とに切替わる。
【００４８】
コンパレータ７２は、トランジスタ６６〜６８と抵抗６９との接続箇所の電圧ＶＴを基準電圧Ｖ１と比較するものである。そして、基準電圧Ｖ１は、ＶＴがＶＣＣレベルの電圧以上であるときはコンパレータ７２がマイコン７１の入力ポートＩＮ０にロジック高レベル電圧を出力し、ＶＴがＶＣＣレベルの電圧未満であるときにはコンパレータ７２がマイコン７１の入力ポートＩＮ０にロジック低レベル電圧を出力するように設定されている。
【００４９】
また、コンパレータ７３は、ＶＴを抵抗６９，７０によって分圧した電圧ＶＳを基準電圧Ｖ２と比較するものである。そして、基準電圧Ｖ２と抵抗６９，７０による分圧比とは、ＶＴがＶｚレベルの電圧以上であるときはコンパレータ７３がマイコン７１の入力ポートＩＮ１にロジック高レベル電圧を出力し、ＶＴがＶｚレベルの電圧未満であるときにはコンパレータ７３がマイコン７１の入力ポートＩＮ１にロジック低レベル信号を出力するように設定されている。
【００５０】
また、マイコン７１は、接続端子６３〜６５のうちのいずれか一つを選択する接続端子選択手段８０と、接続端子選択手段８０により選択された接続端子に送受信部４１が接続されているか否かと、該選択された接続端子に送信部４２が接続されているか否かを判別する接続端末判別手段８２と、入力ポートＩＮ０，ＩＮ１に入力される電圧（ロジック高レベル／ロジック低レベル）を認識することによって、接続端子６３〜６５と抵抗６９との接続箇所の電圧ＶＴのレベルを識別する電圧レベル識別手段８１と、接続端子６３〜６５に入力される第１パルス信号を受信すると共に接続端子６３〜６５から第２パルス信号を送信するパルス通信制御手段８３と、接続端子６３〜６５に入力されるレベル信号を受信するレベル通信制御手段８４とを備えている。
【００５１】
接続端子選択手段８０は、接続端子６３〜６５のいずれか一つを選択すると、該選択した接続端子以外の接続端子と対に備えられたトランジスタを全て前記遮断状態とする。例えば、接続端子６３を選択したときは、接続端子選択手段８０は、出力ポートＯＵＴ１とＯＵＴ２からロジック低レベル信号を出力して、トランジスタ６７，６８をＯＦＦし、接続端子６４と接続端子６５をともに前記遮断状態とする。これにより、コンパレータ７２，７３に入力される電圧は、接続端子６３への入力電圧に応じたものとなる。
【００５２】
電圧レベル識別手段８１は、接続端子選択手段８０により一つの接続端子を選択し、該選択した接続端子と対に備えられたトランジスタをＯＮした状態で、入力ポートＩＮ０，ＩＮ１に入力される電圧（ロジック高レベル／ロジック低レベル）を認識することによって、該選択した接続端子の電圧レベルを識別する。例えば、接続端子選択手段８０により接続端子６３を選択したときは、マイコンの出力ポートＯＵＴ０からロジック高レベルの電圧を出力してトランジスタ６６をＯＮすることにより、コンパレータ７２，７３に入力される電圧は、接続端子６３への入力電圧に応じたものとなる。
【００５３】
そして、電圧レベル識別手段８１は、入力ポートＩＮ０，ＩＮ１に共にロジック高レベルの電圧が入力されたときは、ＶＴの電圧レベルはＶＣＣであると識別し、ＩＮ０にロジック高レベルの電圧が入力されＩＮ１にロジック低レベルの電圧が入力されたときは、ＶＴの電圧レベルはＶｚであると識別し、ＩＮ０，ＩＮ１に共にロジック低レベルの電圧が入力されたときは、ＶＴの電圧レベルは０Ｖであると識別する。尚、コンパレータ７２，７３と電圧レベル識別手段８１とにより本発明の電圧識別手段が構成される。
【００５４】
接続端末判別手段８２は、接続端子６３〜６５に送受信部４１が接続されているか否かを判別し、また、接続端子６３〜６５に送信部４２が接続されているか否かを判別する接続端末判別処理を行なう。接続端末判別手段８２は、接続端子選択手段８０により接続端子６３〜６５のうちのいずれか一つを選択し、該選択した接続端子と対に備えられたトランジスタをＯＮして前記接続端末判別処理を行なう。
【００５５】
例えば接続端子選択手段８０により接続端子６３を選択してトランジスタ６６をＯＮしたときに、送受信部４１から第１パルス信号が送信されると、ＶＣＣからフォトカプラ４４を介して接続端子６３に断続的に通電される状態となる。そして、この通電によりトランジスタ６６と抵抗６９の接続箇所にＶＣＣのレベルの電圧（本発明の所定レベルの電圧に相当する）が断続的に発生する状態となる。
【００５６】
そのため、接続端末判別手段８２は、電圧レベル識別手段８１によりＶＣＣのレベルの電圧が断続的に識別されたときは、接続端子６３に送受信部４１が接続されていると判断する。尚、接続端子６４，６５についても同様に、送受信部４１が識別されているか否かを判別することができる。
【００５７】
また、例えば接続端子選択手段８０により接続端子６５を選択してトランジスタ６８をＯＮしたときに、送信部４２からＶＣＣのレベル信号が送信されると、接続端子６５にはＶＣＣのレベルの電圧が継続的に入力され、トランジスタ６８と抵抗６９の接続箇所の電圧もＶＣＣレベルとなる。
【００５８】
そのため、接続端末判別手段８２は、電圧レベル識別手段８１によりＶＣＣのレベルの電圧が継続的に識別されたときは、接続端子６５に送信部４２が接続されていると判断する。また、送信部４２からＶｚのレベル信号が送信されると、接続端子６５と抵抗６９の接続箇所の電圧はＶｚレベルとなる。そのため、接続端末判別手段８２は、電圧レベル識別手段８１によりＶｚのレベルの電圧が継続的に識別されたときも、接続端子６５に送信部４２が接続されていると判断する。
【００５９】
尚、接続端末判別手段８２は、接続端子６３，６４についても、同様にして送信部４２が接続されているか否かを判別する。
【００６０】
また、接続端子選択手段８０により接続端子６４（送受信部４１も送信部４２も接続されていない接続端子）を選択してトランジスタ６７をＯＮすると、トランジスタ６７と抵抗６９の接続箇所の電圧は０Ｖとなる。そのため、接続端末判別手段８２は、電圧レベル識別手段８１により、ＶＣＣ，Ｖｚのいずれのレベルの電圧も識別されないときは、接続端子６４は未接続状態にあるか或いは接続された送受信部若しくは送信部４２の電源がＯＦＦされた状態にあると判断する。
【００６１】
パルス通信制御手段８３は、接続端子選択手段８０により一つの接続端子を選択し、該選択した接続端子と対に備えられたトランジスタをＯＮ状態として、送受信部４１との間でパルス信号の送受信を行なう。例えば、接続端子選択手段８０により接続端子６３を選択してトランジスタ６６をＯＮした状態で、送受信部４１から第１パルス信号が送信されると、上述したように通信装置４０のトランジスタ６６と抵抗６９の接続箇所にはＶＣＣのレベルの電圧が断続的に発生する。そのため、電圧レベル識別手段８１によりＶＣＣのレベルの電圧を識別することによって、パルス通信制御手段８３は第１パルス信号を受信する。
【００６２】
また、パルス通信制御手段８３は、接続端子選択手段８０により一つの接続端子を選択し、該選択した接続端子と対に備えられたトランジスタをＯＮ／ＯＦＦすることにより、第２パルス信号を送信する。例えば、接続端子６３を選択したときは、トランジスタ６６をＯＮ／ＯＦＦさせることにより第２パルス信号を送受信部４１に送信する。ここで、送受信部４１は、第２パルス信号を受信するときはフォトカプラ４５をＯＮ状態に保つ。そのため、トランジスタ６６をＯＮして前記接続状態とすると、ＶＣＣのレベルの電圧がフォトラプラ４４，フォトカプラ４５，トランジスタ６６，抵抗６９，７０を介して接地されて電流が流れ、フォトカプラ４５がＯＮする。
【００６３】
一方、トランジスタ６６をＯＦＦしたときには、フォトカプラ４５には電流は流れず、フォトカプラ４５はＯＦＦ状態となる。そのため、送受信部４１のマイコン４３は、入力ポートＩＮ２０への入力電圧（ロジック高レベル／ロジック低レベル）によりフォトカプラ４５のＯＮ／ＯＦＦを認識することによって、通信部４０から送信される第２パルス信号を受信する。
【００６４】
レベル通信制御手段８４は、接続端子選択手段８０により一つの接続端子を選択し、該選択した接続端子と対に備えられたトランジスタをＯＮすることによって、該選択した接続端子と接続された送信部４２から送信されるレベル信号を受信する。
【００６５】
例えば、接続端子選択手段８０により接続端子６５を選択したときは、トランジスタ６８をＯＮする。この場合、コンパレータ７２，７３に入力される電圧は送信部４２から送信されるレベル信号の電圧レベルに応じたものとなる。そのため、電圧レベル識別手段８１によりトランジスタ６６〜６８と抵抗６９の接続箇所の電圧のレベルを識別することによって、送信部４２から送信されるレベル信号を受信することができる。尚、接続端子６３，６４に送信部４２が接続されたときにも、同様にして、送信部４２から送信されるレベル信号を受信することができる。
【００６６】
次に、図３に示したフローチャートに従って、通信部４０の一連の動作について説明する。通信部４０は、先ずＳＴＥＰ１で通信を行なう送受信部４１又は送信部４２を特定するために、接続端子６３〜６５のうちの一つを接続端子選択手段８０により選択し、該選択した接続端子と対に備えられたトランジスタをＯＮする。これにより、通信部４０は、該選択した接続端子の電圧のレベルを電圧レベル識別手段８１により識別することができる状態とする。
【００６７】
次のＳＴＥＰ２は接続端末判別手段８２による処理であり、電圧レベル識別手段８１がＶＣＣのレベルの電圧を断続的に識別したときは、接続端末判別手段８２は、選択した接続端子に送受信部４１が接続されていると判断する。
【００６８】
ＳＴＥＰ２で、接続端末判別手段８２により送受信部４１が接続されていると判別されたときは、通信部４０は、続くＳＴＥＰ３〜ＳＴＥＰ５において、パルス通信制御手段８３により送受信部４１との間でパルス信号の送受信を行なう。ＳＴＥＰ３で、パルス通信制御手段８３は送受信部４１から送信されるデータ（第１パルス信号）を受信してこれを解析し、次のＳＴＥＰ４で解析結果に応じて送信データ（第２パルス信号）を送受信部４１に送信する。
【００６９】
パルス通信制御手段８３は、ＳＴＥＰ５で送受信部４１から送信終了信号を受信するまで、ＳＴＥＰ３，ＳＴＥＰ４を繰り返し実行して送受信部４１との間でパルス信号の送受信を継続する。そして、ＳＴＥＰ５で送信終了信号を受信したときに、ＳＴＥＰ６に進み、送受信部４１から受信したデータに応じて、送受信部４１が備えられた温水供給コントローラ２６は、温風暖房機２への温水供給の開始／停止、供給する温水の温度の変更等の処理を行なう。
【００７０】
一方、ＳＴＥＰ２で、電圧レベル識別手段８１により、ＶＣＣのレベルの電圧が断続的に識別されなかったときにはＳＴＥＰ１０に分岐する。ＳＴＥＰ１０及びＳＴＥＰ１０から分岐したＳＴＥＰ２０は接続端末判別手段８２による処理であり、ＳＴＥＰ１０で、電圧レベル識別手段８１によりＶＣＣのレベルの電圧が継続的に識別されたときは、接続端末判別手段８２は、選択した接続端子に送信部４２が接続されていると判断して次のＳＴＥＰ１１に進む。
【００７１】
また、ＳＴＥＰ２０で、電圧レベル識別手段８１によりＶｚのレベルの電圧が継続的に識別されたときも、接続端子判別手段８２は、選択した接続端子に送信部４２が接続されていると判断して次のＳＴＥＰ２１に進む。
【００７２】
ＳＴＥＰ１１とＳＴＥＰ２１は、通信部４０が備えられた温水供給コントローラ２６による処理であり、温水供給コントローラ２６は、ＳＴＥＰ１０で、電圧レベル識別手段８１によりＶＣＣのレベルの電圧が継続的に識別されたとき、即ち、床暖房コントローラ３７の送信部４２からＶＣＣのレベル信号を受信したときは、床暖房パネル３に継続的に温水を供給する強運転を行う。また、ＳＴＥＰ２０で、電圧レベル識別手段８１によりＶｚのレベルの電圧が継続的に識別されたとき、即ち、床暖房コントローラ３７の送信部４２からＶｚのレベル信号を受信したときは、温水供給コントローラ２６は床暖房パネル３に断続的に温水を供給する弱運転を行う。
【００７３】
また、ＳＴＥＰ２，ＳＴＥＰ１０，ＳＴＥＰ２０で、電圧レベル識別手段８１によりＶＣＣのレベルの電圧又はＶｚのレベルの電圧が識別されなかったときは、ＳＴＥＰ３０で、接続端末判別手段８２は選択した接続端子には送受信部４１も送信部４２も接続されていないか、或いは、接続された送受信部４１若しくは送信部４２の電源がＯＦＦされて運転を停止した状態にあると判断する。
【００７４】
尚、床暖房コントローラ３７の送信部４２から温水の供給停止を指示する０Ｖのレベル信号が送信されたときにも、電圧レベル識別手段８１は、選択された接続端子には送受信部４１も送信部４２も接続されていないと判断してしまう。そこで、温水供給コントローラ２６は、電圧レベル識別手段８１により識別される電圧レベルがＶＣＣから０Ｖに変化したとき、及び電圧レベル識別手段８１により識別される電圧レベルがＶｚから０Ｖに変化したときは、床暖房パネル３への温水供給を停止するようにしている。
【００７５】
尚、本実施の形態では、本発明の通信装置として、温水供給装置１の温水供給コントローラ２６に備えられた通信部４０を示し、本発明の送受信装置として温風暖房機２の温風暖房コントローラ３４に備えられた送受信部４１を示し、本発明の送信端末として床暖房端末２９の床暖房コントローラ３７に備えられた送信部４２を示したが、本発明の適用は温水供給装置に限られず、他の種類の本体装置に対しても同様の通信仕様を有するものであれば本発明の適用が可能である。
【００７６】
また、本実施の形態においては、送受信部４１から送信される第１パルス信号の受信したときにトランジスタ６６〜６８と抵抗６９の接続箇所に断続的に発生する電圧のレベル（ＶＣＣ）が、送信部４２から送信される複数のレベル信号（ＶＣＣ，Ｖｚ，０Ｖ）に含まれるように構成したため、第１パルス信号を認識するための構成は別に設ける必要はないが、第１パルス信号の受信したときにトランジスタ６６〜６８と抵抗６９の接続箇所に断続的に発生する電圧のレベルが、送信部４２から送信される複数のレベル信号（ＶＣＣ，Ｖｚ，０Ｖ）に含まれないように構成し、該電圧のレベルを認識するための構成を別に設けるようにしてもよい。
【００７７】
また、本実施の形態においては、接続端末判別手段８２により、各接続端子６３〜６５に送受信部４１又は送信部４２が接続されているか否かを識別し、その識別結果に応じて、パルス通信制御手段８３とレベル通信制御手段８４を選択して通信を行なうようにしたが、送受信部４１及び送信部４２の接続の有無を指示するスイッチ等設け、該スイッチ等の指示結果に応じて、パルス通信制御手段８３とレベル通信制御手段８４を選択して通信を行なうようにしてもよい。
【００７８】
また、本実施の形態では、ＶＣＣ，Ｖｚ，０Ｖという３種類のレベル信号を送信する送受信部４１を示したが、２種類あるいは４種類以上のレベル信号を送信する送受信部に対しても本発明の適用が可能である。
【図面の簡単な説明】
【図１】室内暖房システムの全体構成図。
【図２】図１に示した室内暖房システムの通信回路図。
【図３】図２に示した通信回路の作動フローチャート。
【図４】従来の室内暖房システムの通信回路図。
【符号の説明】
１…温水供給装置、２…温風暖房機、３…床暖房パネル、４…温水回路、５…温風暖房路、６…床暖房路、７…バーナ、８…温水熱交換器、９…循環ポンプ、２６…温水供給コントローラ、３４…温風暖房コントローラ、３７…床暖房コントローラ、４０…通信部（通信装置）、４１…送受信部（送受信端末）、４２…送信部（送信端末）
【図１】
0003571593.tif 000002
【図２】
0003571593.tif 000003
【図３】
0003571593.tif 000004
【図４】
0003571593.tif 000005